(57)【特許請求の範囲】
【請求項１】
ケースに取付け固定され回転するドラムの周面をクリーニングする裏打ち材ホルダに対するクリーニング装置において、
前記ドラムの回転面に直交して設けられ中央部が前記ドラムに近接し両端が前記ドラムから遠ざかり前記ドラムと互いに凸状となる円弧状に組み立て形成され両端が前記ケースに固着され中央部が前記ドラムの回転力によりドラムの外形に倣って前記円弧状形状とは逆方向の凹形状に確実に変位する薄板帯状のクリーニング基板と、
このクリーニング基板の一面に設けられ前記ドラムの周面をクリーニングする板状のクリーニング本体と
を具備したことを特徴とする裏打ち材ホルダに対するクリーニング装置。
【請求項２】
前記ドラムの周面に設けられた光透過窓をクリーニングする板状のクリーニング本体
を具備したことを特徴とする請求項１記載の裏打ち材ホルダに対するクリーニング装置。
【請求項３】
ばね用ステンレス鋼帯よりなるクリーニング基板
を具備したことを特徴とする請求項１又は請求項２記載の裏打ち材ホルダに対するクリーニング装置。
【請求項４】
不織布よりなるクリーニング本体
を具備したことを特徴とする請求項１又は請求項２又は請求項３記載の裏打ち材ホルダに対するクリーニング装置。
【発明の詳細な説明】
【０００１】
【発明の属する技術分野】
本発明は、簡潔な構成により安価で、かつ、クリーニング性能が向上された裏打ち材ホルダに対するクリーニング装置に関するものである。
【０００２】
【従来の技術】
図９は、従来より一般に使用されている従来例の要部構成説明図で、Ｂ／Ｍ計装置の色彩／不透明度計の下側ヘッド用ユニット部分に使用された例で、例えば、資料名；取扱説明書  「Ｂ／Ｍ７０００ＸＬ  ＢＭ８ＢＣＬ２  汚れ補償付クリーニング装置」頁４−２、発行日；１９９６年４月第３版、発行所；横河電機株式会社に示されている。
図１０は図９のＡ−Ａ断面図、図１１は図９のＢ−Ｂ断面図、図１２は図９の動作説明図である。
【０００３】
図において、ベースプレート１の一面側を測定対象物Ａが走行する。
凹部２はベースプレート１の一面側に設けられている。
光透過窓３は、凹部２の底部に設けられている。
光透過窓３には、この場合は、ガラスプレート３ａが取付けられている。
【０００４】
回転裏打ち板４は、光透過窓３に対向して設けられ、円板状をなし、光透過窓３側に裏打ち材５が設けられている。
回転裏打ち板４は、標準白色と黒色とに二分して塗り分けられている。
【０００５】
回転裏打ち板４は、回転することにより、光透過窓３には、標準白色と黒色とが一定周期で交互に現れる。この場合は、０．５秒間隔で交互に現れる。
モータ６は、回転裏打ち板４を回転するために、回転裏打ち板４を軸支する。
【０００６】
クリーナ７は、凹部２の底部に設けられ、ブラッシ棒８とブラッシ棒８に取付られたブラッシ９を有する。
クリーナ７は、クリーニング動作時には、クリーナ７のブラッシ棒８が、測定対象物（紙）Ａ側に少し持ち上がり、次に、回動して、ブラッシ９により光透過窓３をクリーニングする構成となっている。
【０００７】
以上の構成において、色彩／不透明度計の測定原理は以下の如くである。
図１２に示す如く、光源Ｂは測定対象物（紙）Ａに対して４５度の角度から光を照射する。光源Ｂはパルス点灯型ランプが使用されている。
【０００８】
分光器Ｃは、光源Ｂからの光が、測定対象物（紙）Ａによって反射される光のうち、垂直方向の光だけをスリットで集光し、電気信号に変換する。
一方、測定対象物（紙）Ａを透過した、光源Ｂからの光は、光透過窓３を通して回転裏打ち板４でも反射され、光透過窓３を通って再び、測定対象物（紙）Ａを透過して、分光器Ｃに入る。
【０００９】
分光器Ｃの電気信号から、光透過窓３に現われる回転裏打ち板４の色が標準白色の時のものの場合は「色」を，また、標準白色の時のものと黒色の時のものとによって「不透明度」を求める。
【００１０】
また、光透過窓３のクリーニングの必要時には、クリーナ７のブラッシ棒８が、測定対象物（紙）Ａ側に少し持ち上がり、次に、回動して、光透過窓３に達し、ブラッシ９により、光透過窓３をクリーニングする。
しかし、上記のクリーニング方式では、構造が複雑になる。
【００１１】
また、図９従来例では、裏打ち材５は、標準白色と黒色の２種類しか使用出来ない。実際には、計測中の測定対象物Ａと同じ裏打ち材５が使用出来ることが望ましい。
そこで、裏打ち板４をドラム状とし、周面に多種類の裏打ち材５を配置し、各々の裏打ち材５の表面を、光透過窓３で保護する事が考えられる。
【００１２】
図１３は、上記の考えに基づいた、要部構成説明図である。
図において、裏打ち材ホルダー１２は、ベースプレート１１に直交して設けられ、この場合は、１０角形のドラム状をなしている。
矢印１３は、裏打ち材ホルダー１２の回転方向を示す。
【００１３】
裏打ち材ホルダー１２の周面の各平面には、多種類の互いに色の異なる裏打ち材５が配置されている。この場合は、１０種類の裏打ち材５が設けられている。
各々の裏打ち材５の表面には、裏打ち材５を保護すると共に、光源Ｂの光を透過する光透過プレート１４が設けられている。この場合は、光透過プレート１４はガラスよりなる。
【００１４】
裏打ち材ホルダー１２のベースプレート１１側と反対側には、光透過プレート１４を、一面側でクリーニングする板状のクリーニング体１５が、配置されている。
【００１５】
クリーニング体１５は、この場合は、ブラッシュが使用されている。
クリーニング体１５の他面には、スプリング１６の一端が接続され、スプリング１６の他端は色彩／不透明度計のケース１７に接続されている。
【００１６】
このような装置においては、多種類の裏打ち材５を準備することが出来るので、測定対象物Ａと同じ色の裏打ち材５を使用することができ、測定精度を向上することが出来る。
【００１７】
【発明が解決しようとする課題】
しかしながら、この様な装置においては、
（１）裏打ち材ホルダー１２の多角形形状の角では、裏打ち材ホルダー１２の周面とクリーニング体１５とは、線接触となり、クリーニング作用が十分になされない恐れがある。
（２）クリーニング圧を加えるスプリング１６の調整機構が必要となり、構造が複雑になり、製造コストが高くなる。
【００１８】
本発明は、この問題点を解決するものである。
本発明の目的は、簡潔な構成により安価で、かつ、クリーニング性能が向上された裏打ち材ホルダに対するクリーニング装置を提供するにある。
【００１９】
【課題を解決するための手段】
この目的を達成するために、本発明は、
（１）ケースに取付け固定され回転するドラムの周面をクリーニングする裏打ち材ホルダに対するクリーニング装置において、
前記ドラムの回転面に直交して設けられ中央部が前記ドラムに近接し両端が前記ドラムから遠ざかり前記ドラムと互いに凸状となる円弧状に組み立て形成され両端が前記ケースに固着され中央部が前記ドラムの回転力によりドラムの外形に倣って前記円弧状形状とは逆方向の凹形状に確実に変位する薄板帯状のクリーニング基板と、このクリーニング基板の一面に設けられ前記ドラムの周面をクリーニングする板状のクリーニング本体とを具備したことを特徴とする裏打ち材ホルダに対するクリーニング装置。
（２）前記ドラムの周面に設けられた光透過窓をクリーニングする板状のクリーニング本体を具備したことを特徴とする（１）記載の裏打ち材ホルダに対するクリーニング装置。
（３）ばね用ステンレス鋼帯よりなるクリーニング基板を具備したことを特徴とする（１）又は（２）記載の裏打ち材ホルダに対するクリーニング装置。
（４）不織布よりなるクリーニング本体を具備したことを特徴とする（１）又は（２）又は（３）記載の裏打ち材ホルダに対するクリーニング装置。
を構成したものである。
【００２０】
【作用】
以上の構成において、クリーニング本体が取付られた平板状のクリーニング基板は、中央部が、ドラムに近接するように円弧状に組み立て形成され、両端部がケースに固定される。
【００２１】
中央部が、ドラムが回転する時の回転力により、ドラムの外形に倣って変位する。
すなわち、クリーニング基板は塑性変形により円弧状に形成したものではなく、両端部をケースに固定することにより円弧を形成しているので、ドラムの外形に倣って容易に変位することが出来る。
以下、実施例に基づき詳細に説明する。
【００２２】
【発明の実施の形態】
図１は本発明の一実施例の要部構成説明図で、Ｂ／Ｍ計装置の色彩／不透明度計の下側ヘッド用ユニット部分に使用された例である。図２は図１の平面図、図３は図１の側面図、図４は図１の部品図、図５は図４の側断面図、図６は図１の動作説明図、図７は図１の動作説明図、図８は図１の動作説明図である。
【００２３】
図において、図１３と同一記号の構成は同一機能を表わす。
以下、図１３と相違部分のみ説明する。
【００２４】
薄板帯状のクリーニング基板２１は、ドラム状の裏打ち材ホルダー１２の回転面に直交して設けられている。この場合は、ばね用のステンレスが用いられている。
【００２５】
クリーニング基板２１は、中央部２１１が裏打ち材ホルダー１２に近接するように円弧状に組み立て形成され、両端部２１２、２１３がケース１７に固定されている。この場合は、ねじ止め２１４固定されている。
【００２６】
端部２１２に設けられた孔２１５は、ケース１７に端部２１２を固定するためのねじ止め用の孔である。端部２１３に設けられた小判孔２１６は、ケース１７に端部２１３を固定するためのねじ止め用の孔であると共に、クリーニング基板２１を組み立てる時に円弧の形状を調節出来るようにされた孔である。
【００２７】
そして、クリーニング基板２１の中央部２１１が、裏打ち材ホルダー１２の回転力により裏打ち材ホルダー１２の外形に倣って変位する。この変位に付いては、後述する動作の説明で詳述する。
【００２８】
板状のクリーニング本体２２は、このクリーニング基板２１の一面に設けられ、裏打ち材ホルダー１２の周面をクリーニングする。この場合は、不織布製のクリーニング本体２２が使用されている。
【００２９】
以上の構成において、以下の如く動作する。
図６に示す如く、光源Ｂは測定対象物（紙）Ａに対して４５度の角度から光を照射する。光源Ｂは連続点灯型ランプが使用されている。
【００３０】
分光器Ｃは、光源Ｂからの光が、測定対象物（紙）Ａによって反射される光のうち、垂直方向の光だけをスリットで集光し、電気信号に変換する。一方、測定対象物（紙）Ａを透過した、光源Ｂからの光は、光透過プレート１４を通して裏打ち材５でも反射され、光透過プレート１４を通って再び、測定対象物（紙）Ａを透過して、分光器Ｃに入る。
【００３１】
なお、裏打ち材５は、裏打ち材ホルダー１２を回転させ、現在計測されている測定対象物Ａと同じ色の裏打ち材５を、光源Ｂに対応させるようにする。
【００３２】
分光器Ｃの電気信号から、裏打ち材５で反射された場合は「色」を、また、標準白色の裏打ち材５の時のものと、黒色の時のものとによって「不透明度」を求める。
また、標準白色の裏打ち材５は装置の校正の際に使用する。
【００３３】
しかして、図１に示す如く、クリーニング基板２１とクリーニング本体２２とは、中央部２１１が、裏打ち材ホルダー１２に近接するように円弧状に組み立て形成され、両端部２１２，２１３がケース１７に固定される。
【００３４】
中央部２１１が、図７、図８に示す如く、裏打ち材ホルダー１２が回転する時の回転力により、裏打ち材ホルダー１２の外形に倣って変位する。
すなわち、クリーニング基板２１は塑性変形により円弧状に形成したものではなく、両端部２１２，２１３をケース１７に固定することにより円弧を形成しているので、裏打ち材ホルダー１２の外形に倣って容易に変位し易い裏打ち材ホルダに対するクリーニング装置が得られる。
【００３５】
なお、クリーニング基板２１の変位の状態を分かり易く説明するために、図７、図８においては、裏打ちホルダー１２が楕円形の場合について示した。
【００３６】
この結果、
（１）クリーニング基板２１とクリーニング本体２２とは、裏打ち材ホルダー１２の回転する力により、裏打ち材ホルダー１２の外形に倣って変位するので、裏打ち材ホルダー１２の多角形形状の角でも、裏打ち材ホルダー１２の周面とクリーニング本体２２とは、面接触となり、クリーニング作用が十分になされ、クリーニング性能が向上された裏打ち材ホルダに対するクリーニング装置が得られる。
【００３７】
（２）クリーニング基板２１とクリーニング本体２２とは、裏打ち材ホルダー１２の回転する力により、裏打ち材ホルダー１２の外形に倣って変位するので、クリーニング本体２２の裏打ち材ホルダー１２へのクリーニング圧力を調整する調整機構は不必要であり、構成が極めて簡単になり、製造コストが低減出来る裏打ち材ホルダに対するクリーニング装置が得られる。
【００３８】
（３）板状のクリーニング本体でドラムの周面に設けられた光透過窓をクリーニングするようにすれば、透過窓部分をクリーニングすれば良いので、短時間で、充分なクリーニング効果が得られる裏打ち材ホルダに対するクリーニング装置が得られる。
【００３９】
（４）ばね用ステンレス鋼帯よりなるクリーニング基板を使用すれば、クリーニング操作の繰り返しによる、繰り返し応力による塑性変形が少なく、耐久性が向上された裏打ち材ホルダに対するクリーニング装置が得られる。
【００４０】
（５）不織布よりなるクリーニング本体を使用すれば、耐摩耗性に優れ、吸水及び吸油効率が高い裏打ち材ホルダに対するクリーニング装置が得られる。
【００４１】
なお、前述の実施例においては、１０角形のドラム状の裏打ち材ホルダー１２について説明したが、これに限ることはない。要するに、クリーニングする対象がドラム状であればよい。
【００４２】
【発明の効果】
以上説明したように、本発明の請求項１によれば、
（１）クリーニング基板とクリーニング本体とは、ドラムの回転する力により、ドラムの外形に倣って変位するので、多角形形状のドラムの角であっても、ドラムの周面とクリーニング本体とは、面接触となり、クリーニング作用が十分になされ、クリーニング性能が向上された裏打ち材ホルダに対するクリーニング装置が得られる。
【００４３】
（２）クリーニング基板とクリーニング本体とは、ドラムの回転する力により、ドラムの外形に倣って容易に変位するので、クリーニング本体のドラムへのクリーニング時の圧力を調整する調整機構は不必要であり、構成が極めて簡単になり、製造コストが低減出来る裏打ち材ホルダに対するクリーニング装置が得られる。
【００４４】
本発明の請求項２によれば、板状のクリーニング本体でドラムの周面に設けられた光透過窓をクリーニングするようにしたので、透過窓部分をクリーニングすれば良いので、短時間で、充分なクリーニング効果が得られる裏打ち材ホルダに対するクリーニング装置が得られる。
【００４５】
本発明の請求項３によれば、ばね用ステンレス鋼帯よりなるクリーニング基板を使用したので、クリーニング操作の繰り返しによる、繰り返し応力による塑性変形が少なく、耐久性が向上された裏打ち材ホルダに対するクリーニング装置が得られる。
【００４６】
本発明の請求項４によれば、不織布よりなるクリーニング本体を使用したので、耐摩耗性に優れ、吸水及び吸油効率が高い裏打ち材ホルダに対するクリーニング装置が得られる。
【００４７】
従って、本発明によれば、簡潔な構成により安価で、かつ、クリーニング性能が向上された裏打ち材ホルダに対するクリーニング装置を実現することが出来る。
【図面の簡単な説明】
【図１】  本発明の一実施例の要部構成説明図である。
【図２】  図１の平面図である。
【図３】  図１の側面図である。
【図４】  図１の部品図である。
【図５】  図４の側断面図である。
【図６】  図１の動作説明図である。
【図７】  図１の動作説明図である。
【図８】  図１の動作説明図である。
【図９】  従来より一般に使用されている従来例の構成説明図である。
【図１０】  図８のＡ−Ａ断面図である。
【図１１】  図８のＢ−Ｂ断面図である。
【図１２】  図８の動作説明図である。
【図１３】  従来より一般に使用されている他の従来例の構成説明図である。
【符号の説明】
５      裏打ち材
１１    ベースプレート
１２    裏打ち材ホルダー
１３    矢印
１４    光透過プレート
１７    ケース
２１    クリーニング基板
２１１  中央部
２１２  端部
２１３  端部
２１４  ねじ止め
２１５  孔
２１６  小判孔
２２    クリーニング本体
Ａ      測定対象物
Ｂ      光源
Ｃ      分光器
【図１】
0003786237.tif 000002
【図２】
0003786237.tif 000003
【図３】
0003786237.tif 000004
【図４】
0003786237.tif 000005
【図５】
0003786237.tif 000006
【図６】
0003786237.tif 000007
【図７】
0003786237.tif 000008
【図８】
0003786237.tif 000009
【図９】
0003786237.tif 000010
【図１０】
0003786237.tif 000011
【図１１】
0003786237.tif 000012
【図１２】
0003786237.tif 000013
【図１３】
0003786237.tif 000014